(57)【要約】橋脚の補修補強用パネルは、外側面の縁に設けられ、締結孔を有する締結部材と、内側面の縁に形成され、結合孔を有する結合リブと、結合リブの内側に形成された補強リブと、結合孔に挿入される結合突起が一方に形成されたクリップとから構成される。橋脚の周縁に水密性ケーソンを設け、橋脚と水密性ケーソンとの間の水を除去し、橋脚の表面の異物質を除去した後、多数の補修補強用パネルを橋脚の高さに合せて組み立てて、各連結部位は封止されるように締結・組み立てる工程と、上記パネルと橋脚との間に鉄筋を配設する工程と、アンカーボルトを用いて上記鉄筋又は橋脚にパネルを固定する工程と、橋脚とパネルとの間にコンクリートを打設する工程とから構成される。本発明は、橋脚全体が補修補強され、補修補強の後、コンクリートが水中に露出されず、コンクリートの老後化や磨耗、クラック、脱落などの異常現象と鉄筋の腐食のような異常現象が発生しない。
2004538397.tif 000002
【特許請求の範囲】
【請求項１】
橋脚（２１）の補修補強のために上記橋脚（２１）の周縁に設けられる橋脚補修補強用パネルにおいて、外側面の縁に設けられ、ボルトが挿入される締結孔（１２）を有する締結部材（１１）と、内側面の縁に形成され、多数の結合孔（１６）を有する結合リブ（１３）と、結合リブ（１３）の内側に形成された補強リブ（１７）と、上記結合孔（１６）に挿入される結合突起（１５）が一方に形成されたクリップ（１４）とから構成されることを特徴とする橋脚の補修補強用パネル。
【請求項２】
橋脚（２１）の周縁に水密性ケーソン（２２）を設け、上記橋脚（２１）と水密性ケーソン（２２）との間の水を除去し、橋脚（２１）の表面に取り付けられた異物質を除去した後、橋脚（２１）を補修補強する工法において、多数の補修補強用パネル（１０）を橋脚の高さに合せて組み立てて、各連結部位は封止されるように締結・組み立てる工程と、上記パネル（１０）と橋脚（２１）との間に鉄筋（２０）を配設する工程と、アンカーボルト（１８）を用いて上記鉄筋（２０）又は上記橋脚（２１）にパネル（１０）を固定する工程と、上記橋脚（２１）とパネル（１０）との間にコンクリートを打設する工程とから構成されることを特徴とするパネルを用いた橋脚の補修補強工法。
【発明の詳細な説明】
【技術分野】
【０００１】
本発明は、橋脚全体を補修補強し、補修補強の後、コンクリートが水中に露出されないようにする橋脚の補修補強用パネル及びこれを用いた補修補強工法に関するものである。
【背景技術】
【０００２】
一般に、橋脚が、凍結融解により被覆コンクリートの強度が低下するか、材料の分離と被覆の不足とにより鉄筋が露出され、腐食される現象、流送物質との衝突と渦流現象により磨耗・侵食される現象、コンクリートの中性化現象などが見出されると、直ちに上記橋脚を補修補強しなけらばならない。
【０００３】
上記橋脚を補修補強する工程は、添付の図１でのように、橋脚１００の周囲にバラストタンク１０６と水密チューブ１０５とが備えられたケーソン１０１を設け、上記ケーソン１０１と橋脚１００との間で水を除去した後、作業者１０２がワイヤ１０３に乗って降りて損傷部位を補修補強する。
【０００４】
しかし、このような従来の補修補強工程は、橋脚１００の損傷部位のみを補修補強するため、部分的な補修補強がなされ、ムラのように示され、又、既存のコンクリートとの付着力の不足により補修補強されたコンクリートと既存のコンクリートとが接する部分が脱落するか、侵食現象が生じやすく、橋脚１００が補修補強の後、再度水中に露出されるため、引き続き損傷が発生する等の問題がある。
【発明の開示】
【発明が解決しようとする課題】
【０００５】
本発明の目的は、上記のような従来の問題を解決するために、橋脚を補修補強する際に、部分的な補修補強ではなく、橋脚全体を補修補強し、補修補強の後、コンクリートが水中に露出されないようにする橋脚の補修補強用パネル及びこれを用いた補修補強工法を提供することにある。
【課題を解決するための手段】
【０００６】
このような本発明の橋脚の補修補強のためのパネルは、外側面の縁に設けられ、ボルトが挿入される締結孔を有する締結部材と、内側面の縁に形成され、多数の結合孔を有する結合リブと、結合リブの内側に形成された補強リブと、結合孔に挿入される結合突起が一方に形成されたクリップとから構成されることを特徴とする。また、本発明の橋脚の補修補強工法は、橋脚の周縁に水密性ケーソンを設け、上記橋脚と水密性ケーソンとの間の水を除去し、橋脚の表面に取り付けられた異物質を除去した後、多数の補修補強用パネルを橋脚の高さに合せて組み立てて、各連結部位は封止されるように締結・組み立てる工程と、上記パネルと橋脚との間に鉄筋を配設する工程と、アンカーボルトを用いて上記鉄筋又は橋脚にパネルを固定する工程と、橋脚とパネルとの間にコンクリートを打設する工程とから構成されることを特徴とする。
【０００７】
これにより、本発明は、橋脚全体が補修補強され、補修補強の後、コンクリートが水中に露出されず、コンクリートの老朽化や磨耗、クラック、脱落などの異常現象と鉄筋の腐食のような異常現象が発生しない。
【発明の効果】
【０００８】
このように、本発明は、パネルを用いて補修補強する工法に関するものであって、コンクリートが露出されず、コンクリートの老朽化や磨耗、クラック、脱落などの異常現象と鉄筋の腐食のような異常現象が発生しなく、橋脚の一部分を補修補強するものではなく、橋脚全体を補修補強するので、橋脚の耐久年限を増加させるという効果がある。
【発明を実施するための最良の形態】
【０００９】
本発明は、外側面の縁に設けられ、ボルトが挿入される締結孔を有する締結部材と、内側面の縁に形成され、多数の結合孔を有する結合リブと、結合リブの内側に形成された補強リブと、結合孔に挿入される結合突起が一方に形成されたクリップとから構成されるパネルを組み立てて橋脚全体を補修補強するので、補修補強の後、コンクリートが水中に露出されず、コンクリートの老朽化や磨耗、クラック、脱落などの異常現象と鉄筋の腐食のような異常現象が発生しない。
上記のような本発明の構成及び作用を、添付の図面に基づいて詳細に説明すると、下記の通りである。
【実施例】
【００１０】
図２は、本発明によるパネルの外側斜視図であり、図３は、本発明によるパネルの内側斜視図であり、図４は本発明によるパネルを設けた様子の構成図であり、図５は、本発明により橋脚を補修補強する工程図であり、図６ａ乃至図６ｃは、本発明によるパネルをクリップで締結する様子を示す工程図であり、図７は、本発明によるパネルを橋脚に固定した様子を示す構成図である。
【００１１】
上記の図面でのように、本発明は、ボルトが挿入される締結孔１２を有する締結部材１１をパネル１０の外側面の縁に多数個形成し、上記パネル１０の内側面の先端に結合孔１６を有する結合リブ１３を形成する。
【００１２】
併せて、結合リブ１３の内側に多数の補強リブ１７を形成し、結合孔１６に挿入される結合突起１５が一方の先端に形成され、他方は折り曲げられて、パネル１０を結合する際に用いられるクリップ１４を形成して構成する。
【００１３】
また、上記パネル１０を用いて橋脚２１を補修補強する工程は、橋脚２１の周縁にバラストタンク２３と水密チューブ２４とが形成された水密性ケーソン２２を設け、上記橋脚２１と水密性ケーソン２２との間の水を除去し、橋脚２１の表面に取り付けられた異物質を除去した後、多数の補修補強用パネル１０を備え、このパネル１０を橋脚の高さに合せて組み立てて、各連結部位は封止されるように締結・組み立てる工程と、パネル１０と橋脚２１との間の水を除去する工程と、上記パネル１０と橋脚２１との間に鉄筋２０を配設する工程と、アンカーボルト１８を用いて上記鉄筋２０又は橋脚２１にパネル１０を固定する工程と、橋脚２１とパネル１０との間にコンクリートを打設する工程とから構成され、これを更に詳細に説明すると、下記の通りである。
【００１４】
補修補強しようとする橋脚２１の周囲に、水密チューブ２４とバラストタンク２３と、支柱台２５とから構成された水密性ケーソン２２を設け、上記橋脚２１と水密性ケーソン２２との間の水を除去し、橋脚２１の表面に付いた異物質を除去した後、橋脚２１の高さと外径よりも大きくパネル１０を組み立てて設け、各パネル１０の連結部位には気密材を設けて水が漏れないようにし、パネル１０の外側では、ボルトが締結部材１１の締結孔１２に挿通されてから、隣接する他のパネル１０の締結孔１２に挿通されるようにし、ナットを締結して組み立て、内側では、添付の図６ａ乃至図６ｃで示すように、クリップ１４の結合突起１５が結合リブ１３の結合孔１６に挿入されてから、隣接する他のパネル１０の結合リブ１３に形成された結合孔１６に挿入されるようにした後、クリップ１４の先端を打撃して隣接する２つの結合リブ１３を固定させる。
【００１５】
以降、組み立てられたパネル１０と橋脚２１との間の水を完全に除去した後、上記橋脚２１とパネル１０との間に鉄筋２０を配設する。
【００１６】
併せて、互いに連結・組み立てられたパネル１０の所定の１箇所に穴を開けて気密ナット１９を設けた後、アンカーボルト１８を気密ナット１９に挿通させて締結し、上記アンカーボルト１８の先端は橋脚２１に挿入・締結されるようにする。
【００１７】
上記アンカーボルト１８が挿入・締結される橋脚２１のアンカーボルト１８の挿入部分には特殊な薬剤を投入させて、橋脚２１とアンカーボルト１８とが堅固に締結されるようにする。
【００１８】
上記パネル１０を固定する方法は、前記の方法の他、添付の図８乃至図１０でのように、アンカーボルト１８の一方は橋脚２１に挿入・締結され、他方は、鉄筋２０に溶接・結合され、他のアンカーボルト１８は、パネル１０と鉄筋２０に両側の先端がそれぞれ溶接・結合されるようにして固定することができ、アンカーボルト１８の先端を環状として、橋脚２１の一部が脱落されて露出された鉄筋に掛止することができ、アンカーボルト１８の一方の先端が橋脚２１の表面に密着される力により、パネル１０が固定されるようにすることができる。
【００１９】
以降、パネル１０と橋脚２１との間にコンクリートを打設して養生させ、水密性ケーソン２２を除去すると、全ての工程が完了する。
【００２０】
このような本発明は、橋脚２１の異常現象が生じた部分のみを補修補強するものではなく、橋脚２１全体を補修補強するものであるため、追加的なクラックの進行や新規な異常現象が生じなく、コンクリートが露出されないため、橋脚２１の耐久年限を増加させることができる。
【産業上の利用可能性】
【００２１】
本発明は、パネルを用いて補修補強する工法に関するものであって、橋脚の一部分を補修補強するものではなく、橋脚全体を補修補強するので、橋脚の耐久年限を増加させるという効果があり、水中の橋脚だけでなく、陸上の橋脚の補強にも適用することができる。
【図面の簡単な説明】
【００２２】
【図１】従来の橋脚の補修補強工程を示す構成図である。
【図２】本発明によるパネルの外側斜視図である。
【図３】本発明によるパネルの内側斜視図である。
【図４】本発明によるパネルを設けた様子の構成図である。
【図５】本発明により橋脚を補修補強する工程図である。
【図６ａ】本発明によるパネルをクリップで締結する様子を示す工程図である。
【図６ｂ】本発明によるパネルをクリップで締結する様子を示す工程図である。
【図６ｃ】本発明によるパネルをクリップで締結する様子を示す工程図である。
【図７】本発明によるパネルを橋脚に固定した様子を示す構成図である。
【図８】パネルを固定する他の実施例を示す構成図である。
【図９】パネルを固定する他の実施例を示す構成図である。
【図１０】パネルを固定する他の実施例を示す構成図である。
【符号の説明】
【００２３】
１０  パネル
１１  締結部材
１２  締結孔
１３  結合リブ
１４  クリップ
１５  結合突起
１６  結合孔
１７  補強リブ
１８  アンカーボルト
１９  気密ナット
２０  鉄筋
２１  橋脚
【図１】
2004538397.tif 000003
【図２】
2004538397.tif 000004
【図３】
2004538397.tif 000005
【図４】
2004538397.tif 000006
【図５】
2004538397.tif 000007
【図６ａ】
2004538397.tif 000008
【図６ｂ】
2004538397.tif 000009
【図６ｃ】
2004538397.tif 000010
【図７】
2004538397.tif 000011
【図８】
2004538397.tif 000012
【図９】
2004538397.tif 000013
【図１０】
2004538397.tif 000014
【国際公開パンフレット】
2004538397.tif 000015
2004538397.tif 000016
2004538397.tif 000017
2004538397.tif 000018
2004538397.tif 000019
2004538397.tif 000020
2004538397.tif 000021
2004538397.tif 000022
2004538397.tif 000023
2004538397.tif 000024
2004538397.tif 000025
2004538397.tif 000026
2004538397.tif 000027
2004538397.tif 000028
2004538397.tif 000029
2004538397.tif 000030
2004538397.tif 000031
2004538397.tif 000032
2004538397.tif 000033
【国際調査報告】
2004538397.tif 000034
2004538397.tif 000035